(57)【要約】
【課題】　横方向側門枠，縦方向側門枠の連結部を堅固に固定することができ，また連結作業もより簡易にすることができる締結部材を提供する。
【解決手段】　縦方向側門枠（４）と横方向側門枠（３）を接合させるための締結部材（１）であって，縦方向側門枠から貫通されるボルト（５）を締結するための締結ねじ穴（１０３ａ）が設けられた締結弁（１０３）と，締結弁の一端に縦方向側門枠に対して反対方向に延出されるように一体形成され，横方向側門枠から貫通される固定ボルト（６）を締結するための固定ねじ穴（１０２ａ）が設けられた固定弁（１０２）と，締結弁の他端に一体形成され，締結弁に対して縦方向側門枠の方向に延出される支持弁（１０１）と，を備えることを特徴とする。
【選択図】　　図２
0003100484.tif 000002
【実用新案登録請求の範囲】
【請求項１】
　縦方向側門枠と横方向側門枠を接合させるための締結部材であって，
　前記縦方向側門枠から貫通されるボルトを締結するための締結ねじ穴が設けられた締結弁と，
　前記締結弁の一端に前記縦方向側門枠に対して反対方向に延出されるように一体形成され，前記横方向側門枠から貫通される固定ボルトを締結するための固定ねじ穴が設けられた固定弁と，
　前記締結弁の他端に一体形成され，前記締結弁に対して前記縦方向側門枠の方向に延出される支持弁と，
　を備えることを特徴とする，締結部材。
【請求項２】
　前記締結弁が前記横方向側門枠の軸方向に対して斜方向になるように形成されていることを特徴とする，請求項１に記載の締結部材。
【考案の詳細な説明】
【技術分野】
【０００１】
　本考案は，防火門等の鉄材門枠組み立て用の締結部材に関するもので，特に門枠を構成する横方向側門枠と縦方向側門枠を溶接しないで連結する締結部材に関する。
【背景技術】
【０００２】
　現在，図７に示すような，横方向側門枠（Ｇ）と縦方向側門枠（Ｓ）を溶接しないで連結できるように構成されている考案が既に提案されている。このような先考案は，縦方向側門枠（Ｓ）側面を貫通するボルト（Ｂ）を横方向側門枠（Ｇ）上面の設置溝に固定されている締結部材（Ｃ）に締結して，横方向側門枠（Ｇ）と縦方向側門枠（Ｓ）を溶接しないで連結できるものである。
【考案の開示】
【考案が解決しようとする課題】
【０００３】
　しかし，上記の締結部材（Ｃ）では，横方向側門枠（Ｇ）と縦方向側門枠（Ｓ）の堅固な連結は，成し遂げられず，また，締結具（Ｃ）の変形を招く虞があった。すなわち，締結部材（Ｃ）が略四角管形状であるため，横方向側門枠（Ｇ）と縦方向側門枠（Ｓ）をボルト（Ｂ）で連結する場合，締結部材（Ｃ）前面一部が縦方向側門枠（Ｓ）の突出面に接触する状態であることから，横方向側門枠（Ｇ）と縦方向側門枠（Ｓ）をより堅固に連結するためにボルト（Ｂ）を継続的な抑止締結しても，締結部材（Ｃ）と縦方向側門枠（Ｓ）の突出面が接触された部分（以下“接触面”）の継続的な抑止締結の維持が困難となり，横方向側門枠（Ｇ）と縦方向側門枠（Ｓ）の堅固な連結が図れない。
【０００４】
　このような問題を解決するため，縦方向側門枠（Ｓ）と締結具（Ｃ）の前面が接触しない部分（以下“非接触面”）に締結されるボルト（Ｂ）を抑止締結した。しかし，このような抑止締結では，締結部材（Ｃ）の非接触面下側が引っ張られて出る，すなわち，締結部材（Ｃ）の接触面が縦方向側門枠（Ｓ）の突出面に接触した状態であるために締結具（Ｃ）の非接触面が曲がる虞がある。また，前述したような現象は，締結部材（Ｃ）の破損の原因になり，横方向側門枠（Ｇ），縦方向側門枠（Ｓ）連結に対する課題（堅固な連結）の解決までには至らなかった。
【０００５】
　そこで，本考案は，このような問題に鑑みてなされたもので，その目的とするところは，特に締結部材にボルトの抑止締結が可能となり，かつ横方向側門枠，縦方向側門枠の堅固な連結が可能な新規，かつ改良された締結部材を提供することにある。
【課題を解決するための手段】
【０００６】
　上記課題を解決するために，本考案のある観点によれば，縦方向側門枠と横方向側門枠を接合させるための締結部材であって，縦方向側門枠から貫通されるボルトを締結するための締結ねじ穴が設けられた締結弁と，締結弁の一端に縦方向側門枠に対して反対方向に延出されるように一体形成され，横方向側門枠から貫通される固定ボルトを締結するための固定ねじ穴が設けられた固定弁と，締結弁の他端に一体形成され，締結弁に対して縦方向側門枠の方向に延出される支持弁と，を備えることを特徴とする，締結部材が提供される。
【０００７】
　このとき，締結弁が横方向側門枠の軸方向に対して斜方向になるように形成されていることとしてもよい。
【０００８】
　このような構成とすることにより，横方向側門枠，縦方向側門枠の連結部を堅固に固定することができ，また連結作業もより簡易にすることができる。
【考案の効果】
【０００９】
　以上のように本考案によると，締結部材にボルトの抑止締結が可能であるため，横方向側門枠と縦方向側門枠の堅固な連結を達成できる利点があり，また，ボルト締結部に緊張感を与えて，横方向側門枠と縦方向側門枠の連結がより堅固にできる効果もある。さらに，ボルトを抑止締結しても，締結部材がゆがむ現象が防止され，このために，横方向側門枠と縦方向側門枠の接合部が歪まないで持続でき，横方向側門枠と縦方向側門枠の連結状態を常に最初のような状態で維持させることができる。
【考案を実施するための最良の形態】
【００１０】
　以下に添付図面を参照しながら，本考案の好適な実施の形態について詳細に説明する。なお，本明細書及び図面において，実質的に同一の機能構成を有する構成要素については，同一の符号を付することにより重複説明を省略する。
【００１１】
　まず，本考案の締結部材およびこの締結部材が適用される門枠の構成について，図面を用いて説明する。図１は，本考案の締結部材が適用される門枠の正面例示図である。図２は，本考案の締結部材が適用された時の横方向側門枠と縦方向側門枠の分解斜視図である。図３は，本考案の締結部材の設置状態平面例示図である。図４は，本考案の締結部材の斜視図である。
【００１２】
　横方向側門枠（３）と縦方向側門枠（４）の接合箇所に，図２に示すような本考案の締結部材（１）を用いて締結させることにより，図１に示す防火門等の鉄材門枠（Ｍ）が形成される。
【００１３】
　縦方向側門枠（４）と横方向側門枠（３）を接合させるための締結部材（１）は，図４に示すように，縦方向側門枠（４）から貫通されるボルト（５）を締結するための締結ねじ穴（１０３ａ）が設けられた締結弁（１０３）と，この締結弁（１０３）の一端に縦方向側門枠（４）に対して反対方向に延出されるように一体形成され，横方向側門枠（３）から貫通される固定ボルト（６）を締結するための固定ねじ穴（１０２ａ）が設けられた固定弁（１０２）と，上記の締結弁（１０３）の他端に一体形成され，締結弁（１０３）に対して縦方向側門枠（４）の方向に延出される支持弁（１０１）とを備える。
【００１４】
　固定ねじ穴（１０２ａ）は，固定弁（１０２）の上面両側に形成される。また，締結弁（１０３）の上段が固定弁（１０２）内側終端に，締結弁（１０３）の下段が支持弁（１０１）の内側終端に連結されるようにし，上記締結弁（１０３）の略中央部の上側一定位置には，複数個の締結ねじ穴（１０３ａ）が形成される。本実施形態では，締結弁（１０３）の高さの２／３の所に締結ねじ穴（１０３ａ）が形成される。また，上記締結弁（１０３）は斜めで形成されている。
【００１５】
　上記のような構成の本考案の締結部材（１）は，固定弁（１０２）と支持弁（１０１），そして締結弁（１０３）で構成され，この締結部材（１）を図２と図３に示すように，横方向側門枠（３）上面に有する設置溝（３０１）に挿入後，従来のように固定弁（１０２）の固定ねじ穴（１０２Ａ）に固定ボルト（６）を締結すれば，締結部材（１）が横方向側門枠（３）に固定されると同時に，締結部材（１）下側の支持弁（１０１）終端を横方向側門枠（３）外側段より若干突出させることとなる。
【００１６】
　次に，本考案の締結部材（１）を適用したときの作用について，図面を用いて説明する。図５（ａ）は，本考案の締結部材（１）が適用された状態側断面例示図であり，図５（ｂ）は，図５（ａ）の作用例示図である。
【００１７】
　上述したように，横方向側門枠（３）上面に固定された締結部材（１）に先登録された実用新案のように縦方向側門枠（４）の側面を貫通するボルト（５）を締結弁（１０３）の締結ねじ穴（１０３ａ）に締結すると，横方向側門枠（３）と縦方向側門枠（４）を連結することができる。このとき，支持弁（１０１）の終端が横方向側門枠（３）外側段より少々突出されているため，締結弁（１０３）の下部に一体形成された支持弁（１０１）の終端は，図５（ａ）に示すように，横方向側門枠（３）外側面が縦方向側門枠（４）の突出面（４０１）に接触する前に，まず縦方向側門枠（４）の突出面（４０１）に接触するようになる。
【００１８】
　上記のように横方向側門枠（３）と縦方向側門枠（４）を連結するため，ボルト（５）を締結部材（１）に締結すると，上述したように締結部材（１）下側の支持弁（１０１）が横方向側門枠（３）の外側面より，まず縦方向側門枠（４）の突出面（４０１）に接触するため，縦方向側門枠（４）と横方向側門枠（３）の間には，支持弁（１０１）が横方向側門枠（３）外部で突出された部分だけ空間（７）ができる。一方，締結部材（１）の締結弁（１０３）上段が固定弁（１０２）の内側段に，締結弁（１０３）下段が支持弁（１０１）の内側段に連結しているため，締結弁（１０３）と縦方向側門枠（４）の間にも空間（８）ができ，これら空間（７），（８）が締結部材（１）に対するボルト（５）の継続的な締結を可能にする。
【００１９】
　上記空間（７），（８）からボルト（５）を継続的に締結すると，縦方向側門枠（４）の突出面（４０１）に，終端が接触する支持弁（１０１）によりボルト（５）の抑止締結ができる。このとき，ボルト（５）が締結される締結ねじ穴（１０３ａ）が締結弁（１０３）の中央部上側に形成されるため，ボルト（５）の締結時の引っ張る力は，締結弁（１０３）の上側に集中され，一方締結弁（１０３）の下側には，相対的にボルト（５）の引っ張る力が上側より弱く作用される。
【００２０】
　このように締結弁（１０３）上側にボルト（５）の引っ張る力が集中することにより，締結部材（１）には，締結弁（１０３）の上側のみ引っ張る作用が発生し，これに反して上側より相対的にボルト（５）の締結力が弱く作用される締結弁（１０３）下部の支持弁（１０１）は，図５(ｂ)に示すように，縦方向側門枠（４）の突出面（４０１）に接触された状態で締結弁（１０３）上側が引っ張られる分だけ，ボルト（５）の引っ張る方向とは反対方向へ押し出されるようになる。
【００２１】
　したがって，ボルト（５）の締結引っ張る力の大部分を締結弁（１０３）上側に集中させることで下部支持弁（１０１）の押し出される現象を誘導させることにより，締結部材（１）に対するボルト（５）の抑止締結を達成することができるようになり，先登録実用のような縦方向側門枠（４）の突出面（４０１）に，締結部材（１）がかかることにより，締結部材（１）にボルト（５）を抑止締結ができない従来の問題を解決できるようになる。
【００２２】
　また，締結部材（１）の締結弁（１０３）を図６に示すように，横方向側門枠（３）の軸方向に対して斜方向になるように形成されると支持弁（１０１）の押し出される現象をより円滑に成し遂げられる。
【００２３】
　以上，添付図面を参照しながら本考案の好適な実施形態について説明したが，本考案は係る例に限定されないことは言うまでもない。当業者であれば，実用新案登録請求の範囲に記載された範疇内において，各種の変更例または修正例に想到し得ることは明らかであり，それらについても当然に本考案の技術的範囲に属するものと了解される。
【産業上の利用可能性】
【００２４】
　本考案は，防火門のような鉄材門枠組み立て用の締結部材に適用可能であり，特に門枠を構成する横方向側門枠と縦方向側門枠を溶接しないで連結することを特徴とし，横・縦方向側門枠の連結部を堅固に固定することができ，かつ連結作業もより容易にする締結部材に適用可能である。
【図面の簡単な説明】
【００２５】
【図１】図１は，本考案の締結部材が適用される門枠の正面例示図である。
【図２】図２は，本考案の締結部材が適用された時の横方向側門枠と縦方向側門枠の分解斜視図である。
【図３】図３は，本考案の締結部材の設置状態平面例示図である。
【図４】図４は，本考案の締結部材の斜視図である。
【図５】図５（ａ）は，本考案の締結部材が適用された状態側断面例示図であり，図５（ｂ）は，図５（ａ）の作用例示図である。
【図６】図６は，本考案の締結部材の他の例示図である。
【図７】図７は，従来の締結部材を表すための横方向側門枠，縦方向側門枠の分解斜視図である。
【符号の説明】
【００２６】
　Ｍ　　　　　門枠
　１　　　　　締結部材
　１０１　　　支持弁
　１０２　　　固定弁
　１０２ａ　　固定ねじ穴
　１０３　　　締結弁
　１０３ａ　　締結ねじ穴
　３　　　　　横方向側門枠
　３０１　　　設置溝
　４　　　　　縦方向側門枠
　４０１　　　突出面
　５　　　　　ボルト
　６　　　　　固定ボルト
　７，８　　　空間
【図１】
0003100484.tif 000003
【図２】
0003100484.tif 000004
【図３】
0003100484.tif 000005
【図４】
0003100484.tif 000006
【図５】
0003100484.tif 000007
【図６】
0003100484.tif 000008
【図７】
0003100484.tif 000009